(57)【要約】【課題】追焚き熱源側循環回路の凍結を防止する運転を行う際に消費する高温水の使用量を節約し、ランニングコストを低減する貯湯式給湯機を提供する。【解決手段】貯湯タンクと、貯湯タンク中の湯水を貯湯タンクへ戻す追焚き熱源側循環回路と、追焚き熱源側循環回路に湯水を循環させる追焚き循環ポンプと、浴槽水循環回路と、追焚き熱源側循環回路中の湯水と浴槽水循環回路中の浴槽水との間で熱交換する熱交換器とを備える貯湯式給湯機において、温度センサと、浴槽水の有無を検出する浴槽水検出器と、温度センサが所定の温度以下になると追焚き循環ポンプの間欠運転を実行するとともに、浴槽水検出器が浴槽水を検出しない場合は、浴槽水を検出した場合に比べ、追焚き熱源側循環回路に流す湯水の量を低減する制御部と、を備える。【選択図】        図２
2009030903.tif 000002
【特許請求の範囲】
【請求項１】
加熱手段によって内部の水を加熱して得た湯水を内部に貯留する貯湯タンクと、前記貯湯タンクに貯留された湯水を前記貯湯タンクへ戻す追焚き熱源側循環回路と、この追焚き熱源側循環回路に湯水を循環させる追焚き循環ポンプと、浴槽に浴槽水を循環させる浴槽水循環回路と、この浴槽水循環回路に浴槽水を循環させる浴槽水循環ポンプと、前記追焚き熱源側循環回路を循環する湯水と前記浴槽水循環回路を循環する浴槽水との間で熱交換する熱交換器とを備える貯湯式給湯機において、
所定の温度を検出する温度センサと、
浴槽における浴槽水の有無を検出する浴槽水検出部と、
前記温度センサが所定の温度以下になると前記追焚き循環ポンプの間欠運転を実行するとともに、前記浴槽水検出部が浴槽水がないことを検出した場合は、前記浴槽水検出部が浴槽水があることを検出した場合に比べ、前記追焚き熱源側循環回路に流す湯水の量が少なくなるように前記間欠運転を行う制御部と、
を備えることを特徴とする貯湯式給湯機。
【請求項２】
前記制御部は、前記浴槽水検出部が浴槽水がないことを検出した場合は、前記浴槽水検出部が浴槽水があることを検出した場合に比べ、間欠運転の各運転停止間隔時間を長くとることを特徴とする請求項１に記載の貯湯式給湯機。
【請求項３】
前記所定の温度センサは、浴槽水循環回路を循環する浴槽水の温度を検出する浴槽水温度センサであることを特徴とする請求項１または２に記載の貯湯式給湯機。
【請求項４】
前記浴槽水温度センサは、浴槽から熱交換器に送られる浴槽水の温度を検出する第１の温度センサおよび／または熱交換器から浴槽に戻る浴槽水の温度を検出する第２の温度センサであることを特徴とする請求項３に記載の貯湯式給湯機。
【請求項５】
前記所定の温度センサは、外気の温度を検出する第３の温度センサまたは前記貯湯タンクに水を供給する給水管路における水の温度を検出する第４の温度センサであることを特徴とする請求項１または２に記載の貯湯式給湯機。
【請求項６】
加熱手段によって内部の水を加熱して得た湯水を内部に貯留する貯湯タンクと、前記貯湯タンクに貯留された湯水を前記貯湯タンクへ戻す追焚き熱源側循環回路と、この追焚き熱源側循環回路に湯水を循環させる追焚き循環ポンプと、浴槽に浴槽水を循環させる浴槽水循環回路と、この浴槽水循環回路に浴槽水を循環させる浴槽水循環ポンプと、前記前記追焚き熱源側循環回路を循環する湯水と前記浴槽水循環回路を循環する浴槽水との間で熱交換する熱交換器とを備える貯湯式給湯機において、
浴槽水循環回路を循環する浴槽水の温度を検出する浴槽水温度センサと、外気温度を検出する外気温度センサと、
浴槽における浴槽水の有無を検出する浴槽水検出部と、
前記浴槽水温度センサが所定第一の温度以下になると前記追焚き循環ポンプの間欠運転を実行するとともに、前記外気温度センサが所定第二の温度以下であることを検出した場合は、前記外気温度センサが所定第二の温度より大きいことを検出した場合に比べ、前記追焚き熱源側循環回路に流す湯水の量が多くなり、前記浴槽水検出部が浴槽水がないことを検知した場合は、前記浴槽水検知部が浴槽水があることを検出した場合に比べ、前記追焚き熱源側循環回路に流す湯水の量が少なくなるように前記間欠運転を行う制御部と、
を備えることを特徴とする貯湯式給湯機。
【請求項７】
前記制御部は、前記外気温度センサが所定第二の温度以下であることを検出した場合は、前記外気温度センサが所定第二の温度より大きいことを検出した場合に比べ、前記間欠運転の各運転時間を長くとり前記間欠運転の各運転停止間隔時間を短くとり、前記浴槽水検出部が浴槽水がないことを検出した場合は、前記浴槽水検出部が浴槽水があることを検出した場合に比べ、間欠運転の各運転停止間隔時間を長くとることを特徴とする請求項６に記載の貯湯式給湯機。
【発明の詳細な説明】
【技術分野】
【０００１】
本発明は、浴槽水追焚き機能を備えた貯湯式給湯機に関するものである。
【背景技術】
【０００２】
風呂浴槽水の追焚き機能を備えた貯湯式給湯機は、一般的に、貯湯タンクから供給される高温水の熱でもって浴槽水の追焚きをする。具体的には、貯湯式給湯機が、追焚き循環ポンプにより貯湯タンクからの高温水を取り込んで循環させる追焚き熱源側循環回路と、浴槽水循環ポンプにより浴槽水を取り込んで循環させる浴槽水循環回路と、貯湯タンクからの高温水と浴槽水との間で熱交換を行う熱交換器とを有している。このような貯湯式給湯機においては、追焚きしていない場合、追焚き循環ポンプは停止しているので、追焚きしていない場合でかつ外気温が低下する場合、追焚き熱源側循環回路が凍結する危険に晒される。
【０００３】
そのため、特許文献１においては、外気温検出部が所定温度以下を検出すると、追焚き循環ポンプの運転を行い、貯湯タンク内の高温水を追焚き熱源側循環回路へ連続的または間欠的に循環して追焚き熱源側循環回路の凍結を防止している。
【０００４】
【特許文献１】特開２００６−３００４７０号公報
【発明の開示】
【発明が解決しようとする課題】
【０００５】
しかしながら、特許文献１に提案される方法では、貯湯式給湯機は浴槽における浴槽水の有無に関係なく追焚き循環ポンプを運転する。浴槽に浴槽水が有り、浴槽水循環回路が水で満たされている場合は、熱交換器部分に浴槽水が滞留しているので、追焚き熱源側循環回路の水の熱損失が大きいが、浴槽水が無い場合は、浴槽水循環回路内には水が無く、熱交換器部分の浴槽水も空になっているので、浴槽水が有る場合に比べて追焚き熱源側循環回路内の水の熱交換器での熱損失は小さい。従って、凍結予防運転時において、浴槽水が無しの場合、浴槽水が有りの場合よりも追焚き熱源側循環回路の温度低下が軽減されるため、浴槽水が有りの場合よりも追焚き熱源側循環回路での高温水の使用量は少なくてよい。特許文献１に提案されている追焚き熱源側循環回路の凍結防止制御においては、このことが考慮されていないため、凍結予防運転時の高温水のトータル使用量を考えると無駄があり、ランニングコストが大きいという問題があった。
【０００６】
本発明は、上記に鑑みてなされたものであって、追焚き熱源側循環回路の凍結を予防する運転を行う際に消費する高温水の使用量を節約し、ランニングコストを低減する貯湯式給湯機を提供することを目的とする。
【課題を解決するための手段】
【０００７】
上述した課題を解決し、目的を達成するために、本発明は、加熱手段によって内部の水を加熱して得た湯水を内部に貯留する貯湯タンクと、前記貯湯タンクに貯留された湯水を前記貯湯タンクへ戻す追焚き熱源側循環回路と、この追焚き熱源側循環回路に湯水を循環させる追焚き循環ポンプと、浴槽に浴槽水を循環させる浴槽水循環回路と、この浴槽水循環回路に浴槽水を循環させる浴槽水循環ポンプと、前記追焚き熱源側循環回路を循環する湯水と前記浴槽水循環回路を循環する浴槽水との間で熱交換する熱交換器とを備える貯湯式給湯機において、所定の温度を検出する温度センサと、浴槽における浴槽水の有無を検出する浴槽水検出部と、前記温度センサが所定の温度以下になると前記追焚き循環ポンプの間欠運転を実行するとともに、前記浴槽水検出部が浴槽水がないことを検出した場合は、前記浴槽水検出部が浴槽水があることを検出した場合に比べ、前記追焚き熱源側循環回路に流す湯水の量が少なくなるように前記間欠運転を行う制御部と、を備えることを特徴とする。
【発明の効果】
【０００８】
本発明によれば、貯湯式給湯機は、追焚き熱源側循環回路の凍結予防を目的として追焚き熱源側循環回路の追焚き循環ポンプの運転を行う際、浴槽に浴槽水がない場合、浴槽に浴槽水がある場合に比べて、使用する高温水の量を少なくするように、追焚き循環ポンプの間欠運転を行う。これにより、追焚き熱源側循環回路の凍結を防止する運転を行う際に消費する高温水の使用量を節約し、ランニングコストを低減する貯湯式給湯機を提供することができる。
【発明を実施するための最良の形態】
【０００９】
以下に、本発明にかかる貯湯式給湯機の実施の形態を図面に基づいて詳細に説明する。なお、この実施の形態によりこの発明が限定されるものではない。
【００１０】
実施の形態１．
本発明に係る貯湯式給湯機の実施の形態１の構成および動作について説明する。図１は実施の形態１による貯湯式給湯機の構成を示す図である。
【００１１】
まず、貯湯式給湯機の、貯湯タンクおよび貯湯タンク内の水を加熱する機能を持つ部分の構成について説明する。図１において、貯湯式給湯機１００は、湯水を貯留する貯湯タンク１と、貯湯タンク１内の水を加熱するヒートポンプユニット２と、貯湯タンク１の下部の低温水をヒートポンプユニット２に導くヒートポンプ往き配管３と、貯湯タンク１の下部より低温水を取水しヒートポンプユニット２に循環させる、ヒートポンプ往き配管３に設けられた加熱循環ポンプ４と、ヒートポンプユニット２により加熱された水を貯湯タンク１の上部に導くヒートポンプ戻り配管５とを有する。貯湯タンク１、ヒートポンプユニット２、ヒートポンプ往き配管３、およびヒートポンプ戻り配管５は貯湯タンク１内の湯水を循環させながら加熱する加熱循環水路を構成し、加熱循環ポンプ４は湯水循環の駆動力を与える。
【００１２】
次に、貯湯式給湯機１００に内蔵される貯湯タンク１への給水と、ユーザが給水栓（図示せず）から所定の温度の水を得るための機能をもつ部分の構成について説明する。図１において、貯湯式給湯機１００は、水源（図示せず）より水を取水する給水配管９と、貯湯タンク１の上部より高温水を取水する出湯配管１０と、給水配管９を経由して供給される水と出湯配管１０を経由して貯湯タンク１より取水される高温水とを所定の混合比で混合し所定温度に温度調整する混合弁１１と、混合弁１１により所定温度に温度調整された湯水をユーザに供給する給湯配管１２とを有する。給水配管９には、給水される水の温度を検出する給水温センサ１９が取り付けられている。給水配管９は、混合弁１１に接続される前に分岐し、分岐した一端が貯湯タンク１の下部に接続されており、貯湯タンク１にも水を供給する。
【００１３】
次に、貯湯式給湯機１００が浴槽水を取水して追焚きをする機能を担う部分の構成について説明する。まず、貯湯式給湯機１００は、図１において、浴槽水循環回路１３と、浴槽水循環ポンプ１４とを有し、浴槽水循環回路１３は浴槽１６に２箇所で接続されている。浴槽水循環回路１３は、さらに熱交換器７に接続されている。熱交換器７、浴槽水循環回路１３、および浴槽１６は、浴槽水を循環させながら追焚き加熱する浴槽水循環水路を構成する。浴槽水循環回路１３には浴槽水循環ポンプ１４が設置されており、浴槽水循環ポンプ１４は、浴槽水循環水路内において浴槽水を循環させる駆動力を与える。浴槽水循環回路１３には、圧力センサ等からなる浴槽水検出器１５が設置されており、浴槽水検出器１５は浴槽１６内の湯水の有無を検出する。浴槽水循環回路１３には、浴槽１６から熱交換器７へ向かう浴槽水の温度を検出する浴槽水循環入口温センサ１７と、熱交換器７から浴槽１６へ向かう浴槽水の温度を検出する浴槽水循環出口温センサ１８とが設置されており、浴槽水循環回路１３において夫々浴槽１６から取水した直後の浴槽水温度と、浴槽１６に戻す直前の浴槽水温度を検出する。
【００１４】
さらに、貯湯式給湯機１００は、図１において、追焚き熱源側循環回路６と、追焚き熱源側循環回路６中に設置された追焚き循環ポンプ８とを有する。追焚き熱源側循環回路６は貯湯タンク１の上部と下部の二箇所および熱交換器７に接続されている。貯湯タンク１、追焚き熱源側循環回路６、および熱交換器７は、貯湯タンク１から供給される高温水を循環させ、前記した浴槽水循環水路を循環する浴槽水に熱交換器７において熱を与える、追焚き熱源側循環水路を構成する。追焚き熱源側循環水路中を循環する高温水の循環駆動力は、追焚き循環ポンプ８より得る。
【００１５】
このように、追焚き循環ポンプ８の働きにより追焚き熱源側循環回路６中を流れる高温水は、熱交換器７にて、浴槽水循環ポンプ１４の働きにより浴槽水循環回路１３中を流れる浴槽水に熱を与えることで、浴槽水の追焚きを行う。
【００１６】
貯湯式給湯機１００は、さらに、外気温度を検出する外気温センサ２０を有している。また、貯湯式給湯機１００は制御部２１を有し、制御部２１は、浴槽水循環入口温センサ１７、浴槽水循環出口温センサ１８、給水温センサ１９、および外気温センサ２０のセンサ出力と、浴槽水検出器１５の出力信号とを受付け、加熱循環ポンプ４、追焚き循環ポンプ８、および浴槽水循環ポンプ１４の動作を制御する信号を出力する。
【００１７】
次に、本発明にかかる実施の形態１の貯湯式給湯機の動作について説明する。
【００１８】
まず、貯湯タンク１は、水源から給水配管９を通して給水される。ここで、貯湯タンク１は常に満水状態となるよう、使用された水と同じ量の水が適宜給水され、沸き上げられる。
【００１９】
次に、貯湯タンク１中の湯水を沸き上げる動作について説明する。制御部２１が沸き上げ動作を行うために加熱循環ポンプ４を動作させると、貯湯タンク１に貯えられる湯水は、貯湯タンク１の下部から取水され、ヒートポンプ往き配管３を通り、ヒートポンプユニット２にて加熱され、ヒートポンプ戻り配管５を通り、貯湯タンク１上部に戻される。貯湯タンク１内の水は、このように貯湯タンク１とヒートポンプユニット２間を循環することによって沸き上げられる。
【００２０】
次に貯湯タンク１内で沸き上げられた高温水の給湯動作について説明する。給湯配管１２の先端に取り付けられた給湯栓を開くことによって、給水配管９を経由して供給される水源からの水と出湯配管１０を経由して貯湯タンク１から供給される高温水とが混合弁１１によって所定の混合比で混合される。所定温度に調整された湯水は給湯配管１２を通して給湯栓より給湯される。
【００２１】
次に浴槽水の追焚き動作について説明する。追焚き動作は、制御部２１が浴槽水循環水路および追焚き熱源側循環水路を同時に動作させることにより行われる。浴槽水循環水路において、制御部２１の制御により浴槽水循環ポンプ１４を運転し、浴槽１６内の浴槽水を浴槽水循環回路１３に導き、熱交換器７を経由して浴槽１６に戻す。追焚き熱源側循環水路では、制御部２１の制御により追焚き循環ポンプ８を運転し、貯湯タンク１内の高温水を貯湯タンク１の上部から追焚き熱源側循環回路６に導き、熱交換器７を経由して貯湯タンク１の下部に戻す。この時、熱交換器７により、貯湯タンク１からの高温水と浴槽１６からの低温の浴槽水との温度差で熱交換が行われ、浴槽水は熱を受熱して昇温し浴槽１６に戻り、貯湯タンク１の上部からの高温水は熱を奪われ温度低下し貯湯タンク１の下部に戻る。
【００２２】
次に、追焚き熱源側循環回路６の凍結防止の制御動作について図２および図３を用いて詳細に説明する。図２は、追焚き熱源側循環回路６の凍結防止の制御動作を説明するフローチャートである。図３は、図２での各動作に使用される各種条件の例を示す表である。
【００２３】
図２において、ステップＳ１０では、制御部２１は、浴槽水循環入口温センサ１７が検出する浴槽水循環入口温度Ｔｉｎを所定第一のしきい値Ｔｉｎ０、浴槽水循環出口温センサ１８が検出する浴槽水循環出口温度Ｔｏｕｔを所定第二のしきい値Ｔｏｕｔ０と比較する。Ｔｉｎ＞Ｔｉｎ０かつＴｏｕｔ＞Ｔｏｕｔ０を満たす場合（ステップＳ１０、Ｎｏ）、ステップＳ１０の判断処理を繰り返す。Ｔｉｎ≦Ｔｉｎ０またはＴｏｕｔ≦Ｔｏｕｔ０のどちらか一方を満たす場合（ステップＳ１０、Ｙｅｓ）、ステップＳ２０に移行する。ここで、例えば図３の開始条件の欄に示すように、例えば、Ｔｉｎ０を３℃、Ｔｏｕｔ０を５℃と設定する。
【００２４】
ステップＳ２０では、制御部２１は、追焚き循環ポンプ８の運転を開始させ、貯湯タンク1の上部にある追焚き熱源側循環回路６のタンク湯取出口から取り出された高温水を追焚き熱源側循環回路６に循環させ、追焚き熱源側循環回路６の凍結予防運転を開始する。次にステップＳ３０に進む。
【００２５】
ステップＳ３０では、制御部２１は、凍結予防運転を運転時間ｔ１が経過するまで継続し、運転時間ｔ１が経過した後、ステップＳ４０に進む。ステップＳ４０では、制御部２１は、追焚き循環ポンプ８の運転を停止させ、ステップＳ５０に移行する。ステップＳ５０では、制御部２１は、浴槽水検出器１５により浴槽１６内の湯水の有無の検出を行い、浴槽１６内に湯水有りを検出した場合（ステップＳ５０、Ｙｅｓ）はステップＳ６０に移行し、浴槽１６内に湯水有りを検出しない場合（ステップＳ５０、Ｎｏ）はステップＳ７０に移行する。ここで、図３の運転時間の欄に示すように、ｔ１は例えば２０秒と設定される。
【００２６】
ステップＳ６０では、制御部２１は、追焚き循環ポンプ８の運転を運転停止間隔時間ｔ２が経過するまで停止する。運転停止間隔時間ｔ２が経過した後、ステップＳ１０に戻る。ステップＳ７０では、制御部２１は、追焚き循環ポンプ８の運転を運転停止間隔時間ｔ３（ｔ３＞ｔ２）が経過するまで停止する。運転停止間隔時間ｔ３が経過した後、ステップＳ１０に戻る。ここで、図３の運転停止間隔時間の欄に示すように、例えば、ｔ２を１０分、ｔ３を１５分と設定する。ｔ３をｔ２よりも長く設定するのは、浴槽１６内に湯水がない場合は熱交換器７の浴槽水循環水路側は浴槽水で満たされておらず、浴槽１６内に湯水がある場合に比べて追焚き熱源側循環水路６の熱損失が小さくて済むためである。
【００２７】
以上のように、本実施の形態１による貯湯式給湯機によれば、追焚きを行うための追焚き熱源側循環回路６の凍結予防のために、追焚き熱源側循環回路６の追焚き循環ポンプ８の運転を間欠的に行い、間欠運転の際の運転停止間隔時間を、浴槽に浴槽水が無い場合は、ある場合に比べて長くとる。これにより、追焚き熱源側循環回路の凍結を予防する運転を行う際に消費する高温水の使用量を節約し、ランニングコストを低減する貯湯式給湯機を提供することができる。
【００２８】
なお、ステップＳ１０の判定の動作を、浴槽水循環入口温度Ｔｉｎおよび浴槽水循環出口温度Ｔｏｕｔの代わりに、給水温センサ１９により検出される給水温度または外気温センサ２０により検出される外気温度のいずれかひとつの温度について、制御部２１が夫々の所定のしきい値を比較し、検出温度がそのしきい値以下であるか判定する動作に代えてもよい。この場合、検出温度がしきい値以下である場合にステップＳ２０に移行し、検出温度がしきい値を超える場合にステップＳ１０にとどまる。
【００２９】
また、上記追焚き循環ポンプ８の運転時間ｔ１は、ステップＳ１０において検出された温度によって変更してもよい。例えば、検出温度を、制御部２１がステップＳ１０で使用する所定のしきい値とは異なるしきい値と比較し、検出温度がそのしきい値を超える場合は、しきい値以下の場合に比べてｔ１を短く設定する。これにより、追焚き熱源側循環回路６の凍結予防運転による高温水の使用量をさらに節約することができる。
【００３０】
ところで、図２では、間欠運転の際の各運転停止間隔時間を、浴槽に浴槽水が無い場合は、ある場合に比べて長くとることで、浴槽水が無い場合は、ある場合に比べて追焚き熱源側循環回路６に流す湯水の量が少なくなるようにしたが、間欠運転の際の各運転時間を浴槽水の有無に応じて変化させるようにしてもよいし、間欠運転の際の各運転時間および各運転停止間隔時間の双方を浴槽水の有無に応じて変化させるようにしてもよい。要は、浴槽水がないことを検出した場合は、浴槽水があることを検出した場合に比べ、追焚き熱源側循環回路６に流す湯水の量が少なくなるように間欠運転を行うようにすればよい。
【００３１】
実施の形態２．
本発明にかかる実施の形態２の貯湯式給湯機について説明する。ここで、本実施の形態２の貯湯式給湯機の構成は、実施の形態１の貯湯式給湯機と同じであるため、構成についての説明は省略する。
【００３２】
次に、本実施の形態２の貯湯式給湯機の動作について説明する。図４は、本実施の形態２における貯湯式給湯機の追焚き熱源側循環回路６の凍結予防運転の制御動作についてフローチャートである。その他の動作は、実施の形態１と同様であるので、説明を省略する。本実施の形態２においては、図２におけるステップＳ１０とステップＳ２０との間にステップＳ１１〜Ｓ１３を追加している。即ち、ステップＳ１１で外気温度を−１０℃以上かどうか判定し、その結果により、ステップＳ３０にて制御部２１が使用する間欠運転を行う追焚き循環ポンプ８の運転時間ｔ１、ステップＳ６０にて使用する浴槽水があることを検出した場合の運転停止間隔時間ｔ２、およびステップＳ７０にて使用する浴槽水がないことを検出した場合の運転停止間隔時間ｔ３の設定値を変更するものである。図５は本実施の形態２の動作において使用する各種条件の例をまとめて説明する表である。
【００３３】
具体的に図５の例に従って図４を用いつつ説明すると、ステップＳ１０において制御部２１がＴｉｎ≦Ｔｉｎ０またはＴｏｕｔ≦Ｔｏｕｔ０のどちらか一方を満たすと判定する場合（ステップＳ１０、Ｙｅｓ）、ステップＳ１１に移行する。ステップＳ１０にて制御部２１がＴｉｎ＞Ｔｉｎ０かつＴｏｕｔ＞Ｔｏｕｔ０を満たすと判定する場合（ステップＳ１０、Ｎｏ）、実施の形態１のケースと同様にステップＳ１０の手順を繰り返す。ここで、図５ではＴｉｎ０を３℃、Ｔｏｕｔ０を５℃としている。
【００３４】
ステップＳ１１では、制御部２１は、外気温度が−１０℃以上かどうか判定し、外気温度が−１０℃以上と判定しない場合（ステップＳ１１、Ｎｏ）、ステップＳ１２に移行する。制御部２１は外気温度が−１０℃以上と判定する場合（ステップＳ１１、Ｙｅｓ）、ステップＳ１３に移行する。ステップＳ１２では、制御部２１は、間欠運転の各運転時間ｔ１を２０秒、浴槽水があることを検出される場合の運転停止間隔時間ｔ２を１０分、および浴槽水がないことを検出される場合の運転停止間隔時間ｔ３を１５分と設定し、ステップＳ２０に移行する。ステップＳ１３では、制御部２１は、ｔ１＝１０秒、ｔ２＝３０分、およびｔ３＝４０分と設定し、ステップＳ２０に移行する。
【００３５】
ステップＳ２０〜ステップＳ７０の動作は実施の形態１と同様であるが、制御部２１が使用するｔ１〜ｔ３の値はステップＳ１２またはステップＳ１３のいずれかの動作を経て設定された値が用いられる。
【００３６】
ここで、図５に示されるように、外気温度が−１０℃以上と判定される場合は、ｔ１＝１０秒、ｔ２＝３０分、およびｔ３＝４０分、外気温度が−１０℃を下回ると判定される場合は、ｔ１＝２０秒、ｔ２＝１０分、およびｔ３＝１５分と設定されたが、外気温度が−１０℃以上と判定される場合は外気温度が−１０℃を下回ると判定される場合に比べて、運転時間ｔ１は短く、かつ運転停止間隔時間ｔ２およびｔ３は長く設定されるのであれば適宜変更してもかまわない。また、外気温度の判定のしきい値として−１０℃を使用したが、追焚き熱源側循環回路６が凍結しそうな温度の範囲内で変更してもかまわない。
【００３７】
これにより、追焚き熱源側循環回路６が凍結しそうな気温のとき、外気温についてさらにしきい値判定を行い、外気温がしきい値以上の場合は、しきい値を下回る場合に比べて、運転時間を短く、運転停止間隔時間を長くし、高温水の消費量を低減する。
【００３８】
以上のように、本実施の形態２の貯湯式給湯機によれば、外気温度によって運転時間と運転停止間隔時間を変更するように実施の形態１の貯湯式給湯機の動作をさらに工夫したことにより、高温水の使用量を実施の形態１の貯湯式給湯機の場合よりもさらに節約できる効果を得ることができる。
【００３９】
ところで、図４では、外気温についてのしきい値判定を実施の形態１における凍結予防運転の制御動作に付け加えることで、外気温がしきい値以下である場合、外気温がしきい値より大きい場合に比べて、間欠運転の際の各運転時間を長く、各運転停止間隔時間を短くし、さらに各運転停止間隔時間について浴槽水の有無による判定により変化させ、浴槽に浴槽水が無い場合は、ある場合に比べて長くしたが、ここで、各運転停止間隔時間ではなく、各運転時間を浴槽水の有無に応じて変化させるようにしてもよい。また、各運転時間および各運転停止間隔時間の両方を浴槽水の有無に応じて変化させるようにしてもよい。要は、外気温がしきい値以下である場合は、外気温がしきい値より大きい場合に比べ追焚き熱源側循環回路６に流す湯水の量が多くなり、浴槽水がないことを検出した場合は、浴槽水があることを検出した場合に比べ追焚き熱源側循環回路６に流す湯水の量が少なくなるように間欠運転を行うようにすればよい。
【図面の簡単な説明】
【００４０】
【図１】貯湯式給湯機の構成図である。
【図２】貯湯式給湯機（実施の形態１）の凍結予防運転の制御動作を説明するフローチャートである。
【図３】図２にて説明されている動作に使用される、各種条件の例を示す図である。
【図４】貯湯式給湯機（実施の形態２）の凍結予防運転の制御動作を説明するフローチャートである。
【図５】図４にて説明されている動作に使用される、各種条件の例を示す図である。
【符号の説明】
【００４１】
１  貯湯タンク、
２  ヒートポンプユニット、
３  ヒートポンプ往き配管、
４  加熱循環ポンプ、
５  ヒートポンプ戻り配管、
６  追焚き熱源側循環回路、
７  熱交換器、
８  追焚き循環ポンプ、
９  給水配管、
１０  出湯配管、
１１  混合弁、
１２  給湯配管、
１３  浴槽水循環回路、
１４  浴槽水循環ポンプ、
１５  浴槽水検出器、
１６  浴槽、
１７  浴槽水循環入口温センサ、
１８  浴槽水循環出口温センサ、
１９  給水温センサ、
２０  外気温センサ、
２１  制御部、
１００  貯湯式給湯機
【図１】
2009030903.tif 000003
【図２】
2009030903.tif 000004
【図３】
2009030903.tif 000005
【図４】
2009030903.tif 000006
【図５】
2009030903.tif 000007